【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
車両およびフォブを含むワイヤレス車両アクセスシステムにおける使用のための装置であって、
メモリと、
前記メモリと通信可能に結合されたプロセッサであって、
車両許可パラメータの値を取得し、ここにおいて、前記車両許可パラメータが、前記フォブの移動、受信指向性信号、または受信可聴信号のうちの少なくとも1つを備え、
前記車両許可パラメータの前記値が前記車両の所望機能と一致するのか、それとも矛盾するのかを決定し、ここにおいて、前記所望機能は、前記車両を始動すること、または前記車両を運転すること、または前記車両をロック解除することを含み、
前記車両許可パラメータの前記値が前記車両の前記所望機能と矛盾すると決定されることに応答して前記車両の前記所望機能を禁止し、かつ
前記車両許可パラメータの前記値が前記車両の前記所望機能と一致すると決定されることに応答して前記車両の前記所望機能を可能にする
ように構成されたプロセッサと
を備える装置。
【請求項２】
前記車両許可パラメータが前記フォブの移動を備え、ここにおいて、前記車両の前記所望機能が車両の始動であり、ここにおいて、前記プロセッサは、前記フォブの前記移動が、
フォブ速度が車両始動しきい値を下回ること、
空間的フォブ運動が前記車両のシートの移動と一致し、前記空間的フォブ運動がフォブ運動の方向もしくは大きさのうちの少なくとも1つを備えること、または
前記空間的フォブ運動が、前記フォブのユーザが前記車両の中に座っていることと一致すること
のうちの少なくとも1つである場合に、前記フォブの前記移動が前記所望機能と一致すると決定するように構成される、請求項1に記載の装置。
【請求項３】
前記空間的フォブ運動が前記車両の前記シートの移動と一致することが、前記空間的フォブ運動がフォブ/シート移動差分しきい値未満だけ前記シートの少なくとも一部分の同時移動と異なることを備える、請求項2に記載の装置。
【請求項４】
前記車両許可パラメータが前記フォブの移動を備え、ここにおいて、前記車両の前記所望機能が車両の始動であり、ここにおいて、前記プロセッサは、前記フォブの前記移動が歩行者の運動を示す空間的フォブ運動である場合に、前記フォブの前記移動が前記所望機能と矛盾すると決定するように構成される、請求項1に記載の装置。
【請求項５】
前記車両許可パラメータが前記フォブの移動を備え、ここにおいて、前記車両の前記所望機能が車両の運転であり、ここにおいて、前記プロセッサは、前記フォブの前記移動が、
空間的フォブ運動が、前記フォブのユーザが前記車両の中に座っていることと一致し、前記空間的フォブ運動がフォブ運動の方向もしくは大きさのうちの少なくとも1つを備えること、
フォブ速度が前記車両の速度に対して速度差分しきい値未満だけ異なること、または
前記空間的フォブ運動が前記車両のシートの移動と一致すること
のうちの少なくとも1つである場合に、前記フォブの前記移動が前記所望機能と一致すると決定するように構成される、請求項1に記載の装置。
【請求項６】
前記空間的フォブ運動が前記車両の前記シートの移動と一致することが、前記空間的フォブ運動がフォブ/シート移動差分しきい値未満だけ前記シートの少なくとも一部分の同時移動と異なることを備える、請求項5に記載の装置。
【請求項７】
前記車両許可パラメータが前記フォブの移動を備え、ここにおいて、前記車両の前記所望機能が車両の運転であり、ここにおいて、前記プロセッサは、前記フォブの前記移動が歩行者の運動を示す空間的フォブ運動である場合に、前記フォブの前記移動が前記所望機能と矛盾すると決定するように構成される、請求項1に記載の装置。
【請求項８】
前記車両許可パラメータが前記フォブの移動を備え、ここにおいて、前記車両の前記所望機能が前記車両をロック解除することであり、ここにおいて、前記プロセッサは、フォブ速度が車両ロック解除しきい値を下回る場合に、前記フォブの前記移動が前記所望機能と一致すると決定するように構成される、請求項1に記載の装置。
【請求項９】
前記車両許可パラメータが前記受信指向性信号であり、ここにおいて、前記プロセッサは、前記車両許可パラメータの前記値が非ゼロである場合に、前記車両許可パラメータの前記値が前記所望機能と一致すると決定するように構成される、請求項1に記載の装置。
【請求項１０】
前記プロセッサは、前記車両許可パラメータの前記値が非ゼロの指向性信号強度しきい値を超える場合に、前記車両許可パラメータの前記値が前記所望機能と一致すると決定するように構成される、請求項9に記載の装置。
【請求項１１】
前記指向性信号が
前記フォブによって前記車両から受信され、
前記車両によって前記フォブから受信される、
請求項9に記載の装置。
【請求項１２】
前記車両許可パラメータが前記受信可聴信号であり、ここにおいて、前記プロセッサは、前記車両許可パラメータの前記値が非ゼロである場合に、前記車両許可パラメータの前記値が前記所望機能と一致すると決定するように構成される、請求項1に記載の装置。
【請求項１３】
前記プロセッサは、前記車両許可パラメータの前記値が非ゼロの可聴信号強度しきい値を超える場合に、前記車両許可パラメータの前記値が前記所望機能と一致すると決定するように構成される、請求項12に記載の装置。
【請求項１４】
前記装置は、前記車両アクセスシステムの前記フォブに含まれる、請求項1から13のいずれか一項に記載の装置。
【請求項１５】
前記装置は、前記車両アクセスシステムの前記車両に含まれる、請求項1から14のいずれか一項に記載の装置。
【請求項１６】
車両およびフォブを含むワイヤレス車両アクセスシステムのための方法であって、
前記車両アクセスシステムにおいて、車両許可パラメータの値を取得するステップであって、ここにおいて、前記車両許可パラメータが、前記フォブの移動、受信指向性信号、または受信可聴信号のうちの少なくとも1つを備える、ステップと、
前記車両アクセスシステムにおいて、前記車両許可パラメータの前記値が前記車両の所望機能と一致するのか、それとも矛盾するのかを決定するステップであって、ここにおいて、前記所望機能は、前記車両を始動すること、または前記車両を運転すること、または前記車両をロック解除することを含む、ステップと、
前記車両許可パラメータの前記値が前記所望機能と矛盾することに応答して前記車両の前記所望機能を禁止するステップ、または
前記車両許可パラメータの前記値が前記所望機能と一致することに応答して前記車両の前記所望機能を可能にするステップのいずれか
を備える方法。
【請求項１７】
車両およびフォブを含むワイヤレス車両アクセスシステムにおける使用のためのプロセッサ可読記憶媒体であって、プロセッサに、
車両許可パラメータの値を取得することであって、ここにおいて、前記車両許可パラメータが、前記フォブの移動、受信指向性信号、または受信可聴信号のうちの少なくとも1つを備えることと、
前記車両許可パラメータの前記値が前記車両の所望機能と一致するのか、それとも矛盾するのかを決定することであって、ここにおいて、前記所望機能は、前記車両を始動すること、または前記車両を運転すること、または前記車両をロック解除することを含む、ことと、
前記車両許可パラメータの前記値が前記所望機能と矛盾すると決定されることに応答して前記車両の前記所望機能を禁止することと、
前記車両許可パラメータの前記値が前記所望機能と一致すると決定されることに応答して前記車両の前記所望機能を可能にすることと
をさせるように構成されたプロセッサ可読命令を備えるプロセッサ可読記憶媒体。